(57)【要約】【課題】提供する情報の特定を容易に行うことができ、提供する情報を状況に応じて可変にすることができる本及び本認識装置を提供する。【解決手段】本は、開いているページを検出してページ番号を出力するページ検出手段と、一意に識別可能な本識別番号が記憶された本識別番号記憶手段と、質問信号を受信した後、検出されたページ番号を取得するとともに、記憶されている本識別番号を読み出して、該ページ番号と本識別番号とを含む応答信号を送信する近距離通信手段とを備える。本認識装置は、本に対して質問信号を送信するとともに、応答信号を受信する近距離通信手段と、応答信号から本識別番号とページ番号を抽出する本識別手段と、本識別番号とページ番号に基づいて情報提供するサーバを特定し、このサーバから情報を取得する情報処理手段と、情報処理手段において取得された情報を出力する情報出力手段とを備える。【選択図】　　図１
2004130658.tif 000002
【特許請求の範囲】
【請求項１】
本の開いているページを検出してページ番号を出力するページ検出手段と、
該本を一意に識別可能な本識別番号が予め記憶された本識別番号記憶手段と、質問信号を受信したのを受けて、前記ページ検出手段によって検出されたページ番号を取得するとともに、前記本識別番号記憶手段に記憶されている本識別番号を読み出して、該ページ番号と本識別番号とを含む応答信号を送信する近距離通信手段と
を備えたことを特徴とする本。
【請求項２】
前記ページ検出手段は、
複数のページにそれぞれ設けられ、それぞれのページを検出可能としたことを特徴とする請求項１に記載の本。
【請求項３】
前記本は、
前記本識別番号とページ番号に基づいて送信された情報を前記近距離通信手段を介して受信し、この受信情報を表示する表示手段をさらに備えたことを特徴とする請求項１または２に記載の本。
【請求項４】
請求項１ないし３のいずれかに記載の本を認識して情報提供を行う本認識装置であって、
前記本に対して質問信号を送信するとともに、この質問信号に対する応答信号を受信する近距離通信手段と、
前記応答信号から本識別番号とページ番号を抽出する本識別手段と、
前記本識別手段によって抽出された前記本識別番号とページ番号に基づいて情報提供するサーバを特定し、この特定したサーバから情報を取得する情報処理手段と、
前記情報処理手段において取得された情報を出力する情報出力手段と
を備えたことを特徴とする本認識装置。
【請求項５】
請求項１ないし３のいずれかに記載の本を認識して情報提供を行う本認識装置であって、
前記本に対して質問信号を送信するとともに、この質問信号に対する応答信号を受信する近距離通信手段と、
前記本の開かれているページの画像を撮像する画像撮像手段と、
前記応答信号から本識別番号を抽出し、この本識別番号が付与された本のページ画像の各々と前記撮像された画像とを比較して最も類似している画像を特定することによりページ番号を特定する本識別手段と、
前記本識別手段によって得られた前記本識別番号とページ番号に基づいて情報提供するサーバを特定し、この特定したサーバから情報を取得する情報処理手段と、
前記情報処理手段において取得された情報を出力する情報出力手段と
を備えたことを特徴とする本認識装置。
【請求項６】
前記情報出力手段は、
音楽または音声を発する音発生手段であることを特徴とする請求項４または５に記載の本認識装置。
【請求項７】
前記情報出力手段は、
画像またはテキストを表示する表示手段であることを特徴とする請求項４または５に記載の本認識装置。
【請求項８】
前記本認識装置は、音声認識装置をさらに備え、音声認識結果に基づく指示に応じて動作することを特徴とする請求項４または５に記載の本認識装置。
【請求項９】
本の開いているページを通知するページ通知プログラムであって、
本の開いているページを検出してページ番号を出力するページ検出処理と、
質問信号を受信したのを受けて、前記ページ検出処理によって検出されたページ番号を取得するとともに、予め記憶された該本を一意に識別可能な本識別番号を読み出して、該ページ番号と本識別番号とを含む応答信号を送信する近距離通信処理と
をコンピュータに行わせること特徴とするページ通知プログラム。
【請求項１０】
本の開いているページに応じて情報を表示する情報提供プログラムであって、
本の開いているページを検出してページ番号を出力するページ検出処理と、
質問信号を受信したのを受けて、前記ページ検出処理によって検出されたページ番号を取得するとともに、予め記憶された該本を一意に識別可能な本識別番号を読み出して、該ページ番号と本識別番号とを含む応答信号を送信する近距離通信処理と
前記本識別番号とページ番号に基づいて送信された情報を受信し、この受信情報を表示する表示処理と
をコンピュータに行わせること特徴とする情報提供プログラム。
【請求項１１】
本の開かれているページに応じて情報提供を行う情報提供プログラムであって、
前記本に対して質問信号を送信するとともに、この質問信号に対する応答信号を受信する近距離通信処理と、
前記応答信号から本識別番号とページ番号を抽出する本識別処理と、
前記本識別処理によって抽出された前記本識別番号とページ番号に基づいて情報提供するサーバを特定し、この特定したサーバから情報を取得する情報取得処理と、
前記情報取得処理において取得された情報を出力する情報出力処理と
をコンピュータに行わせることを特徴とする情報提供プログラム。
【請求項１２】
本の開かれているページに応じて情報提供を行う情報提供プログラムであって、
前記本に対して質問信号を送信するとともに、この質問信号に対する応答信号を受信する近距離通信処理と、
前記本の開かれているページの画像を撮像する画像撮像処理と、
前記応答信号から本識別番号を抽出し、この本識別番号が付与された本のページ画像と前記撮像された画像とを比較して最も類似している画像を特定することによりページ番号を特定する本識別処理と、
前記本識別処理によって得られた前記本識別番号とページ番号に基づいて情報提供するサーバを特定し、この特定したサーバから情報を取得する情報取得処理と、
前記情報取得処理において取得された情報を出力する情報出力処理と
をコンピュータに行わせることを特徴とする情報提供プログラム。
【発明の詳細な説明】
【０００１】
【発明の属する技術分野】
本発明は、本及び本認識装置に関する。
【０００２】
【従来の技術】
従来から、書物、新聞、雑誌、辞典などの印刷物に印刷された文字、線画、又は写真等の情報と一対の情報を電子的、光学的、磁気的な記録媒体に格納しておき、電子ブックの操作者が印刷物の各頁に印刷されたマークを指定することによって、記録媒体に格納された情報、及びその情報に関連のある情報を読み出して画像表示したり、また音声出力することが可能な電子ブックが知られている（特許文献１参照）。
また、印刷物に印刷された印刷内容に関連する関連情報を記憶媒体に格納しておき、必要に応じてその関連情報を取り出すことのできる情報提供システムも知られている（特許文献２参照）。
【０００３】
【特許文献１】
特開平７−０５６９４１号公報
【特許文献２】
特開平９−２８２４２２号公報
【０００４】
【発明が解決しようとする課題】
しかしながら、これらの装置は、いずれも印刷物に印刷された所定のマークをペン型をしたマーク読み取り手段によって読み取ることによって、所望の情報を特定しなければならず、操作が煩雑になるという問題がある。また、従来の電子ブックは、記録媒体に記録されたマークと一対の情報のみが提供されるものであったため、状況に応じて提供する情報を可変することが困難であるという問題もある。
【０００５】
本発明は、このような事情に鑑みてなされたもので、提供する情報の特定を容易に行うことができ、提供する情報を状況に応じて可変にすることができる本及び本認識装置を提供することを目的とする。
【０００６】
【課題を解決するための手段】
請求項１に記載の発明は、本の開いているページを検出してページ番号を出力するページ検出手段と、該本を一意に識別可能な本識別番号が予め記憶された本識別番号記憶手段と、質問信号を受信したのを受けて、前記ページ検出手段によって検出されたページ番号を取得するとともに、前記本識別番号記憶手段に記憶されている本識別番号を読み出して、該ページ番号と本識別番号とを含む応答信号を送信する近距離通信手段とを備えたことを特徴とする。
【０００７】
請求項２に記載の発明は、前記ページ検出手段は、複数のページにそれぞれ設けられ、それぞれのページを検出可能としたことを特徴とする。
【０００８】
請求項３に記載の発明は、前記本は、前記本識別番号とページ番号に基づいて送信された情報を前記近距離通信手段を介して受信し、この受信情報を表示する表示手段をさらに備えたことを特徴とする。
【０００９】
請求項４に記載の発明は、請求項１ないし３のいずれかに記載の本を認識して情報提供を行う本認識装置であって、前記本に対して質問信号を送信するとともに、この質問信号に対する応答信号を受信する近距離通信手段と、前記応答信号から本識別番号とページ番号を抽出する本識別手段と、前記本識別手段によって抽出された前記本識別番号とページ番号に基づいて情報提供するサーバを特定し、この特定したサーバから情報を取得する情報処理手段と、前記情報処理手段において取得された情報を出力する情報出力手段とを備えたことを特徴とする。
【００１０】
請求項５に記載の発明は、請求項１ないし３のいずれかに記載の本を認識して情報提供を行う本認識装置であって、前記本に対して質問信号を送信するとともに、この質問信号に対する応答信号を受信する近距離通信手段と、前記本の開かれているページの画像を撮像する画像撮像手段と、前記応答信号から本識別番号を抽出し、この本識別番号が付与された本のページ画像の各々と前記撮像された画像とを比較して最も類似している画像を特定することによりページ番号を特定する本識別手段と、前記本識別手段によって得られた前記本識別番号とページ番号に基づいて情報提供するサーバを特定し、この特定したサーバから情報を取得する情報処理手段と、前記情報処理手段において取得された情報を出力する情報出力手段とを備えたことを特徴とする。
【００１１】
請求項６に記載の発明は、前記情報出力手段は、音楽または音声を発する音発生手段であることを特徴とす。
【００１２】
請求項７に記載の発明は、前記情報出力手段は、画像またはテキストを表示する表示手段であることを特徴とする。
【００１３】
請求項８に記載の発明は、前記本認識装置は、音声認識装置をさらに備え、音声認識結果に基づく指示に応じて動作することを特徴とする。
【００１４】
請求項９に記載の発明は、本の開いているページを通知するページ通知プログラムであって、本の開いているページを検出してページ番号を出力するページ検出処理と、質問信号を受信したのを受けて、前記ページ検出処理によって検出されたページ番号を取得するとともに、予め記憶された該本を一意に識別可能な本識別番号を読み出して、該ページ番号と本識別番号とを含む応答信号を送信する近距離通信処理とをコンピュータに行わせること特徴とする。
【００１５】
請求項１０に記載の発明は、本の開いているページに応じて情報を表示する情報提供プログラムであって、本の開いているページを検出してページ番号を出力するページ検出処理と、質問信号を受信したのを受けて、前記ページ検出処理によって検出されたページ番号を取得するとともに、予め記憶された該本を一意に識別可能な本識別番号を読み出して、該ページ番号と本識別番号とを含む応答信号を送信する近距離通信処理と前記本識別番号とページ番号に基づいて送信された情報を受信し、この受信情報を表示する表示処理とをコンピュータに行わせること特徴とする。
【００１６】
請求項１１に記載の発明は、本の開かれているページに応じて情報提供を行う情報提供プログラムであって、前記本に対して質問信号を送信するとともに、この質問信号に対する応答信号を受信する近距離通信処理と、前記応答信号から本識別番号とページ番号を抽出する本識別処理と、前記本識別処理によって抽出された前記本識別番号とページ番号に基づいて情報提供するサーバを特定し、この特定したサーバから情報を取得する情報取得処理と、前記情報取得処理において取得された情報を出力する情報出力処理とをコンピュータに行わせることを特徴とする。
【００１７】
請求項１２に記載の発明は、本の開かれているページに応じて情報提供を行う情報提供プログラムであって、前記本に対して質問信号を送信するとともに、この質問信号に対する応答信号を受信する近距離通信処理と、前記本の開かれているページの画像を撮像する画像撮像処理と、前記応答信号から本識別番号を抽出し、この本識別番号が付与された本のページ画像と前記撮像された画像とを比較して最も類似している画像を特定することによりページ番号を特定する本識別処理と、前記本識別処理によって得られた前記本識別番号とページ番号に基づいて情報提供するサーバを特定し、この特定したサーバから情報を取得する情報取得処理と、前記情報取得処理において取得された情報を出力する情報出力処理とをコンピュータに行わせることを特徴とする。
【００１８】
【発明の実施の形態】
以下、本発明の一実施形態による本及び本認識装置を図面を参照して説明する。図１は同実施形態の構成を示すブロック図である。この図において、符号１は、刊行物（本）を認識して必要な情報を提供する刊行物認識装置である。符号２は、雑誌や書籍等の刊行物（本）である。符号３は、インターネットであり、刊行物認識装置１、情報提供サーバ５１、情報提供サーバ５２が接続される。符号１１は、インターネット３を介して、情報提供サーバ５１や情報提供サーバ５２との間で通信を行う通信部である。符号１２は、情報提供の処理を行う情報処理部である。符号１３は、近距離の無線通信を行う近距離通信部である。符号１４は、刊行物２の識別を行う刊行物識別部である。符号１５は、音を発するスピーカであり、提供される音情報を再生するのに用いる。符号１６は、スピーカ１５から発する音を提供される音情報から合成して生成する音声合成部である。符号１７は、音を集めるマイクであり、刊行物認識装置１に対する指示等を音声で行う場合に用いる。符号１８は、マイク１７で集音した音声を認識する音声認識部である。符号１９は、キーボード等から構成される入力部であり、刊行物認識装置１に対する指示等を入力するのに用いる。符号２０は、ディスプレイ等で構成される表示部であり、提供された動画または静止画像である画像情報やテキストを表示する。
【００１９】
次に、図２を参照して、図１に示す刊行物２の構成を説明する。図２は、図１に示す刊行物２の構成を示すブロック図である。この図において、符号２１は、刊行物認識装置１に備えられた近距離通信部１３との間で通信を行う近距離通信部である。符号２２は、刊行物２を一意に特定可能な番号を予め記憶してある刊行物番号記憶部である。符号２３は、刊行物２の開かれているページを検出するページ検出部である。図２に示す構成は、刊行物（本）の表紙、裏表紙、背表紙のいずれかに取り付けられ、刊行物認識装置１の近距離通信部１３から送信される電波の電力によって動作するものであり、非接触データキャリアの方式を利用している。
【００２０】
次に、図３〜５を参照して、図１、２に示す刊行物認識装置１及び刊行物２の動作を説明する。初めに、図３を参照して刊行物認識装置１に備えられる近距離通信部１３と刊行物識別部１４の動作を説明する。まず、刊行物認識装置１の電源を投入すると、近距離通信部１３は、刊行物番号とページ番号を問い合わせる質問信号を発信する（ステップＳ１）。そして、この質問信号に対する応答信号が受信できたか否かを判定しながら（ステップＳ２）、応答信号が受信できるまで繰り返し動作する。そして応答信号が受信できた場合、近距離通信部１３は、受信した応答信号から刊行物番号とページ番号を抽出して（ステップＳ３）、この刊行物番号とページ番号を刊行物識別部１４へ通知する。これを受けて、刊行物識別部１４は、通知された刊行物番号とページ番号が正常か否かを判定する（ステップＳ４）。ここでの判定は、各番号の書式（桁数等）が正常か否かを判定するものである。続いて、各番号が正常であれば、刊行物識別部１４は、刊行物番号とページ番号を情報処理部１２へ通知する（ステップＳ５）。
この動作によって刊行物２の識別と開かれているページの位置（ページ番号）を取得することができる。
【００２１】
次に、図４を参照して、情報処理部１２の動作を説明する。まず、情報処理部１２は、刊行物識別部１４から刊行物番号とページ番号を取得する（ステップＳ１１）。続いて、情報処理部１２は、取得した刊行物番号に対応するＵＲＬ（Ｕｎｉｆｏｒｍ　Ｒｅｓｏｕｒｃｅ　Ｌｏｃａｔｏｒｓ）を予め内部に記憶されている中から選択して取得する（ステップＳ１２）。次に、情報処理部１２は、取得したＵＲＬに対して、情報取得要求を送信する（ステップＳ１３）。この例では、情報提供サーバ５１または情報提供サーバ５２のいずれかに対して情報取得要求が送信されることとなる。そして、情報処理部１２は、送信した情報取得要求に対する応答を受信する（ステップＳ１４）。そして、情報処理部１２は、受信した情報の内容に基づいて、この情報を音声合成部１６または表示部２０へ出力することによって情報の提供を行う（ステップＳ１５）。この動作によって、テキストデータの読み上げや音楽データの再生、画像データの表示を行うことができる。
【００２２】
次に、図５を参照して、図２に示す近距離通信部２１が、質問信号に対して応答信号を返す動作を説明する。まず、近距離通信部２１は、質問信号を受信する（ステップＳ２１）。これを受けて、近距離通信部２１は、刊行物番号記憶部２２から刊行物番号を読み出す（ステップＳ２２）。続いて、近距離通信部２１は、ページ検出部２３におけるページ検出結果を読み込む（ステップＳ２３）。そして、近距離通信部２１は、刊行物番号とページ番号を含む応答信号を送信する（ステップＳ２４）。この動作によって、刊行物２の番号と開かれているページの位置（ページ番号）を刊行物認識装置１に対して通知することができる。
【００２３】
次に、図６、７を参照して、図２に示すページ検出部２３の構成を説明する。図６（ａ）は、刊行物２を開いた状態を示す図であり、（ｂ）は、背表紙側から見た状態を示す図である。この図において、符号Ａは、刊行物２を構成する各ページの紙面の端部に導電性を有するインクを印刷し、ページ検出のための端子を構成したものである。符号Ｂは、刊行物認識装置１の近距離通信部１３から発せられる電波を受信するアンテナであり、表紙または裏表紙の面に沿って配置されている。符号Ｃは、ページ検出部２３を含む部分である。各ページの端子Ａは、それぞれページ検出部２３と接続されており、ページ検出部２３は、隣り合ったページに設けられた端子Ａ同士が導通しているかを検出し、導通していないページがあった場合にそのページが開かれているものと見なす。この例に示すように、ページＰ３とＰ４のページが開かれている状態である場合、ページＰ３とページＰ４の間は導通していないため、現時点ではこのページが開かれていることを検出することが可能となる。
【００２４】
また、図６（ｃ）に示すように、表紙及び裏表紙に端子を設け、ページＰ４側のみ端子Ａを設け、ページＰ３側には端子Ａを設けないようにし、表紙及び裏表紙の端子と各ページに設けられた端子のそれぞれの間の抵抗値を検出することにより開かれたページを検出するようにしてもよい。図６（ｃ）に示すように、刊行物２を持つ人間の手を介して、ページ４と表紙及び裏表紙は導通し、抵抗値が無限大で無くなる。この抵抗値が無限大でないページを検出すれば、そのページが開かれているものと見なす。さらには、図７に示すように、ページＰ４側に光電変換素子で構成された可視光センサＤを各ページ設け、各可視光センサＤの出力があったページが開かれているものと見なすようにしてもよい。
【００２５】
次に、図８〜１０を参照して、刊行物２の他の実施形態を説明する。
図８に示す刊行物２の構成は、図２に示す構成に駆動回路２４と表示部２５を新たに設け、刊行物認識装置１から送信された情報を表示部２５に表示するようにしたものである。この表示部２５は、電気泳動ディスプレイで構成されたいわゆる電子ペーパであり、刊行物２を構成するページの一部または全てがこの電気泳動ディスプレイで構成される。
【００２６】
ここで、図１０を参照して表示部２５を構成する電気泳動ディスプレイについて説明する。図１０は、電気泳動ディスプレイ４０の構成を示す図である。このディスプレイは、カプセル４１内に第１の粒子セット４２、および第２の粒子セット４４を含む。第１の粒子セット４２、および第２の粒子セット４４は、対照をなす光学特性を有する。例えば、第１の粒子セット４２および第２の粒子セット４４は、異なる電気泳動移動度を有する。また、第１の粒子セット４２、および第２の粒子セット４４は、対照をなす色を有する。例えば、第１の粒子セット４２が白（二酸化チタン）である一方で、第２の粒子セット４４は黒（カーボンブラック）で構成される。カプセル４１は、実質的に透明な流体をさらに含み、さらに電極４６および４６’と隣接して配置される。電極４６および４６’は、電圧源４８と接続されるが、この電圧源４８は、カプセル４１に交流（ＡＣ）電界、または直流（ＤＣ）電界を提供する。電極４６および４６’にわたって電界を印加すると、第１の粒子セット４２が電極４６’へと向かって移動する一方で、第２の粒子セット４４は電極４６へと向かって移動する。これによって、各カプセル４１ごとに２色の表現ができるため、このカプセル４１を表示部２５の表示面全面に２次元配列し、各カプセル４１毎に電界を提供すれば、モノクロのディスプレイを構成することができる。
【００２７】
次に、図９を参照して、図８に示す刊行物２の動作を説明する。まず、近距離通信部２１は、質問信号を受信する（ステップＳ３１）。これを受けて、近距離通信部２１は、刊行物番号記憶部２２から刊行物番号を読み出す（ステップＳ３２）。続いて、近距離通信部２１は、ページ検出部２３におけるページ検出結果を読み込む（ステップＳ３３）。そして、近距離通信部２１は、刊行物番号とページ番号を含む応答信号を送信する（ステップＳ３４）。
【００２８】
これを受けて、情報処理部１２は、前述した動作によって情報提供サーバ５１または情報提供サーバ５２より必要な情報を受取り、情報の内容に応じて、スピーカ１５、表示部２０、近距離通信部１３に対して受け取った情報を出力する。刊行物２に備えられた表示部２５に情報を出力する場合は、近距離通信部１３を介して、刊行物２へ情報を送信する。
【００２９】
これを受けて、近距離通信部２１は、近距離通信部１３から送信された情報を受信する（ステップＳ３５）。そして、近距離通信部２１は、受信した情報を駆動回路２４へ出力する。駆動回路２４は、受け取った情報から各電極４６毎のデータに変換し、提供された情報を表示部２５へ表示する（ステップＳ３６）。これによって、刊行物２に備えられた表示部２５に刊行物認識装置１から受け取った情報が表示されることとなる。
【００３０】
次に、図１１、１２を参照して、刊行物認識装置１の他の実施形態を説明する。図１１に示す刊行物認識装置１は、図１に示す近距離通信部１３、刊行物識別部１４に換えて、近距離通信部１３１、刊行物識別部１４１を設けるとともに、新たにカメラ１３２を設けた構成になっている。この実施形態において、刊行物２には、ページ検出部２５を備えていない構成である。
【００３１】
次に、図１２を参照して、図１１に示す近距離通信部１３１、カメラ１３２及び刊行物識別部１４１の動作を説明する。まず、刊行物認識装置１の電源を投入すると、近距離通信部１３１は、刊行物番号を問い合わせる質問信号を発信する（ステップＳ４１）。そして、この質問信号に対する応答信号が受信できたか否かを判定しながら（ステップＳ４２）、応答信号が受信できるまで繰り返し動作する。そして応答信号が受信できた場合、近距離通信部１３１は、受信した応答信号から刊行物番号を抽出して（ステップＳ４３）、この刊行物番号を刊行物識別部１４１へ通知する。これを受けて、刊行物識別部１４１は、通知された刊行物番号とページ番号が正常か否かを判定する（ステップＳ４４）。ここでの判定は、各番号の書式（桁数等）が正常か否かを判定するものである。この結果、正常な番号であれば、刊行物識別部１４１は、カメラ１３２に対して、画像の取得を指示する。これを受けてカメラ１３２は、刊行物２の開かれているページを撮像することによって、開かれているページの画像を取得して（ステップＳ４５）、得られた画像データを刊行物識別部１４１へ出力する。
【００３２】
これを受けて刊行物識別部１４１は、先に得られた刊行物番号に基づいて、予め内部記憶されているページ画像を読み出し、撮像した画像と予め記憶されてる画像の全てとのパターンマッチング処理を施し、開かれているページを特定する（ステップＳ４６）。このパターンマッチング処理によってページを特定する場合、予め記憶されている画像を刊行物番号によって絞り込んであるため、撮像した画像と最もよく似ている画像のページに特定して問題ない。
次に、刊行物識別部１４１は、刊行物番号とページ番号とを情報処理部１２へ通知する（ステップＳ４７）。以降の動作は、前述した動作と同様であるので詳細な説明を省略する。
【００３３】
このように、開かれているページの画像を撮像して、予め記憶されている画像に最も似ているページを探し出すことによってページを特定するようにしたため、刊行物２には、ページ検出部２５を設ける必要がなく、刊行物２の構成を簡単にすることができる。
【００３４】
次に、図１、１１に示す装置の動作を具体例を挙げて説明する。
まず、消費者は、店へ出向き刊行物２を買ってくる。消費者は、刊行物認識装置１の付近で刊行物２を閲覧すると、刊行物番号とページ番号が刊行物認識装置１へ通知される。刊行物認識装置１は、通知された刊行物番号に基づいて、ＵＲＬを求め、このＵＲＬで特定されるサーバから情報の提供を受ける。情報を提供するサーバは、消費者が買ってきた刊行物を出版している出版社が管理運用するものである。例えば、刊行物２がレストランのガイドブックである場合に、各レストランのページを開くと、このレストランの最新メニュー情報が提供される。このようにすることにより、刊行物に記載されている内容のうち可変の部分を最新の情報に置き換えることが可能となる。
【００３５】
また、図１、１１に示す刊行物認識装置１をペットロボット内に備えるようにして、図２、８に示す刊行物２で構成された絵本をペットロボット前に差し出した幼児が「この本読んで」と言うと、この声をマイク１７で集音し、音声認識部１８において認識すると、スピーカ１５から「ページを開いて」と発声する。そして、幼児がページを開くと、このページに書かれている内容の音声データが情報提供サーバより提供されてスピーカ１５から発声される。また、海の場面では、海の音がスピーカ１５から発せられて臨場感を高めることが可能である。
【００３６】
また、週刊誌の広告ページを開くと、広告されている商品を説明する音声が発せられる。このようにすることによって、広告の効果を向上させることが可能となる。
【００３７】
また、音楽ＣＤの発売情報を掲載した雑誌において、興味のあるＣＤが掲載されたページを開き、「このＣＤを聞かせて」と言うと、情報提供サーバより指定されたＣＤの曲の一部を受取り、スピーカ１５から再生される。このようにすることによって、ＣＤ店等に出向くことなく音楽ＣＤを視聴することができる。
【００３８】
さらには、通販カタログ、語学学習教材、グレーティングカード、文字を読むことが困難な者に対する朗読等に応用可能である。
【００３９】
以上説明したように、刊行物の開かれたページを検出することにより、刊行物に掲載された内容を最新情報に置き換えることが可能となる。
【００４０】
なお、刊行物２は、印刷されて出版されたものである必要はなく、本の構造を有したものであれば何でもよい。また、新聞であってもよい。さらには、２つ折にされた電報用の用紙であってもよく、刊行物認識装置１の付近で電報を開くと電報を送った者の音声で電報の内容を読み上げるようにしてもよい。
また、刊行物認識装置１は、携帯電話端末や携帯端末内に設けるようにしてもよい。このとき、スピーカ１５、マイク１７、入力部１９、表示部２０は端末が備えているものを使用するするように構成してもよい。
また、刊行物認識装置１及び刊行物２の構成は、図面に示した構成要素を全て備えている必要はなく、必要な構成要素のみを備えた構成としてもよい。
また、刊行物認識装置１は、バス、電車、タクシー等に備えられていてもよい。このとき、刊行物認識装置１とインターネット３との間を無線通信回線で接続すればよい。
また、刊行物２を入手した消費者が情報提供サーバ５１、５２に対して、ユーザ登録を行い、ユーザ登録した者だけが最新の情報提供を受けられるようにしてもよい。
【００４１】
なお、図１における処理部の機能を実現するためのプログラムをコンピュータ読み取り可能な記録媒体に記録して、この記録媒体に記録されたプログラムをコンピュータシステムに読み込ませ、実行することにより情報提供処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４２】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００４３】
【発明の効果】
以上説明したように、この発明によれば、提供する情報の特定を容易に行うことができ、提供する情報を状況に応じて可変にすることができるという効果が得られる。
【図面の簡単な説明】
【図１】本発明の一実施形態の構成を示すブロック図である。
【図２】図１に示す刊行物２の構成を示すブロック図である。
【図３】図１に示す近距離通信部１３及び刊行物識別部１４の動作を示すフローチャートである。
【図４】図１に示す情報処理部１２の動作を示すフローチャートである。
【図５】図２に示す刊行物２の動作を示すフローチャートである。
【図６】図２に示すページ検出部２３の構成を示す説明図である。
【図７】図２に示すページ検出部２３の構成を示す説明図である。
【図８】図１に示す刊行物２の構成を示すブロック図である。
【図９】図８に示す刊行物２の動作を示すフローチャートである。
【図１０】図８に示す表示部２５の構成を示す図である。
【図１１】本発明の他の実施形態の構成を示すブロック図である。
【図１２】図１１に示す近距離通信部１３１、カメラ１３２及び刊行物識別部１４１の動作を示すフローチャートである。
【符号の説明】
１・・・刊行物認識装置　　　１１・・・通信部
１２・・・情報処理部　　　　１３・・・近距離通信部
１４・・・刊行物識別部　　　１５・・・スピーカ
１６・・・音声合成部　　　　１７・・・マイク
１８・・・音声認識部　　　　１９・・・入力部
２０・・・表示部　　　　　　１３１・・・近距離通信部
１３２・・・カメラ　　　　　１４１・・・刊行物識別部
２・・・刊行物（本）　　　　２１・・・近距離通信部
２２・・・刊行物番号記憶部　２３・・・ページ検出部
２４・・・駆動回路　　　　　２５・・・表示部
３・・・インターネット　　　５１、５２・・・情報提供サーバ
【図１】
2004130658.tif 000003
【図２】
2004130658.tif 000004
【図３】
2004130658.tif 000005
【図４】
2004130658.tif 000006
【図５】
2004130658.tif 000007
【図６】
2004130658.tif 000008
【図７】
2004130658.tif 000009
【図８】
2004130658.tif 000010
【図９】
2004130658.tif 000011
【図１０】
2004130658.tif 000012
【図１１】
2004130658.tif 000013
【図１２】
2004130658.tif 000014